(57)【特許請求の範囲】
【請求項１】
着脱可能なインク容器から供給されるインクを用いて印刷処理を実行する印刷装置であって、
前記インク容器に記憶されるインク情報を取得する取得部と、
前記取得部より前記インク情報を取得できなかった場合、ユーザの入力からユーザインク情報を受け付ける受付部と、
前記ユーザインク情報が入力された場合、前記ユーザインク情報により前記印刷処理が可能な印刷設定に設定するとともに、
前記ユーザインク情報が入力されなかった場合、前記印刷処理における印刷搬送速度を、複数の印刷搬送速度のうち最も低速にする前記印刷設定に設定する印刷設定部と
を備えることを特徴とする印刷装置。
【請求項２】
前記ユーザインク情報と、前記ユーザインク情報に対応して実行された前記印刷処理において不具合が発生したときの印刷設定である不具合印刷設定とを関連付けて記憶する記憶部を備え、
前記印刷設定部は、前記受付部でユーザインク情報を受け付けた際、当該ユーザインク情報が前記記憶部に記憶されたユーザインク情報と同一である場合、前記不具合印刷設定と同一の印刷設定を設定不可に設定することを特徴とする請求項１に記載の印刷装置。
【請求項３】
印刷済の用紙に後処理を行う後処理装置を更に備え、
前記印刷設定部は、前記ユーザインク情報が入力されなかった場合、前記後処理装置の使用を禁止する前記印刷設定に設定する
ことを特徴とする請求項１又は２の何れかに記載の印刷装置。
【発明の詳細な説明】
【技術分野】
【０００１】
本発明は、着脱可能に構成されるインク容器から供給されるインクを使用して印刷処理を行う印刷装置に関する。
【背景技術】
【０００２】
インクジェット印刷装置（以下、単に印刷装置として適宜示す）では、インク容器から供給されるインクを用いて印刷用紙に画像を印刷する。当該インク容器は、印刷装置から着脱可能に構成されており、収容されているインクを使い果たした場合には、インク容器を新たなインク容器に交換することができる。
【０００３】
また、インク容器には、インク容器に収容されるインク特性やインク色などを示すインク情報を記憶するインク容器側記憶部が備えられており、印刷装置では、当該インク容器側記憶部から取得したインク情報に基づいて、印刷搬送速度や印刷濃度などの印刷設定が設定される。これにより、印刷装置では、インク容器が交換されても、印刷設定を設定できる。
【０００４】
また、近年では、インク容器側記憶部から取得したインク情報に基づいて、対象のインク容器がメーカによって推奨される適正品（所謂、純正品）のインク容器か、又は、汎用品のインク容器（所謂、非純正品）か判断し、予め設定してある吐出波形等の吐出条件に設定する印刷装置も提案されている（例えば、特許文献１参照）。
【先行技術文献】
【特許文献】
【０００５】
【特許文献１】特開２０１１−１７７９３２号公報
【発明の概要】
【発明が解決しようとする課題】
【０００６】
ところで、特許文献１では、汎用品のインク容器を用いた場合であっても、印刷搬送速度は考慮していない。更に、汎用品のインク容器の中には、インク容器に備えられるインク容器側記憶部においてインク情報が記憶されていない場合もあり、印刷装置が、インク情報を取得できないこともある。
【０００７】
このように、インク情報が分からないことで、インクの最適な吐出条件を設定できないまま、印刷搬送速度を考慮せずに印刷搬送速度を速くすると、インクの単位時間あたりの吐出回数が増え、この結果、搬送経路上を浮遊するインクミストが多く発生し、搬送経路やインクジェットヘッド部及びインクジェットヘッド部の周辺部材に付着し装置を汚してしまうことがある。
【０００８】
本発明は、このような状況に鑑みてなされたもので、汎用品のインク容器を使用した印刷処理においても、インクミストによる装置汚れを抑制することが可能な印刷装置を提供することを目的とする。
【課題を解決するための手段】
【０００９】
上記目的を達成するため、本発明に係る印刷装置の第１の特徴は、着脱可能なインク容器から供給されるインクを用いて印刷処理を実行する印刷装置であって、前記インク容器に記憶されるインク情報を取得する取得部と、前記取得部より前記インク情報を取得できなかった場合、ユーザの入力からユーザインク情報を受け付ける受付部と、前記ユーザインク情報が入力された場合、前記ユーザインク情報により前記印刷処理が可能な印刷設定に設定するとともに、前記ユーザインク情報が入力されなかった場合、前記印刷処理における印刷搬送速度を、複数の印刷搬送速度のうち最も低速にする前記印刷設定に設定する印刷設定部とを備えることにある。
【００１０】
本発明に係る印刷装置の第２の特徴は、上記特徴に係り、前記ユーザインク情報と、前記ユーザインク情報に対応して実行された前記印刷処理において不具合が発生したときの印刷設定である不具合印刷設定とを関連付けて記憶する記憶部を備え、前記印刷設定部は、前記受付部でユーザインク情報を受け付けた際、当該ユーザインク情報が前記記憶部に記憶されたユーザインク情報と同一である場合、前記不具合印刷設定と同一の印刷設定を設定不可にすることにある。
【００１１】
本発明に係る印刷装置の第３の特徴は、上記特徴に係り、印刷済の用紙に後処理を行う後処理装置を更に備え、前記印刷設定部は、前記ユーザインク情報が入力されなかった場合、前記後処理装置の使用を禁止する前記印刷設定に設定することにある。
【発明の効果】
【００１２】
本発明に係る印刷装置の第１の特徴によれば、例えば、汎用品のインク容器を使用することによりインク情報を取得できず、かつユーザインク情報も入力されずに印刷処理がなされる場合であっても、印刷搬送速度を最も低速にした印刷設定に設定するので、例えば、高速に設定されてしまう場合に比べて、発生するインクミストを減少させることができ、これにより、印刷装置を汚してしまうことを抑制できる。
【００１３】
本発明に係る印刷装置の第２の特徴によれば、印刷設定部は、受付部によってユーザインク情報をユーザから受け付けた際、受け付けたユーザインク情報と不具合印刷設定に関連付けて記憶されたユーザインク情報とが同一である場合、不具合印刷設定と同一の印刷設定を設定不可にするため、不具合の再発を防止して、安定した印刷処理を実行できる。
【００１４】
本発明に係る印刷装置の第３の特徴によれば、印刷設定部は、ユーザインク情報が入力されなかった場合、後処理装置の使用を禁止する印刷設定に設定するため、後処理装置による不具合が発生する可能性を回避して、より安定した印刷処理を実行できる。
【図面の簡単な説明】
【００１５】
【図１】本発明の第１実施形態に係る印刷システムの概略構成図である。
【図２】本発明の第１実施形態に係る印刷システムの構成を示す概略ブロック図である。
【図３】本発明の第１実施形態に係る印刷装置の本体記憶部に記憶される情報を説明するためのテーブルである。
【図４】本発明の第１実施形態に係る印刷装置の動作を示すフローチャートである。
【図５】本発明の第１実施形態に係る印刷装置の印刷設定処理の動作を示すフローチャートである。
【図６】本発明の第１実施形態に係る印刷装置において表示される表示画面の一例を示す図である。
【図７】本発明の第１実施形態に係る印刷装置において表示される表示画面の一例を示す図である。
【図８】本発明の第１実施形態に係る印刷装置において表示される表示画面の一例を示す図である。
【図９】本発明の第１実施形態に係る印刷装置において表示される表示画面の一例を示す図である。
【図１０】本発明の第２実施形態に係る印刷装置の動作を示すフローチャートである。
【図１１】本発明の第２実施形態に係る印刷装置の本体記憶部に記憶される情報を説明するためのテーブルである。
【図１２】本発明の第２実施形態に係る印刷装置の動作を示すフローチャートである。
【図１３】本発明の第２実施形態に係る印刷装置において表示される表示画面の一例を示す図である。
【発明を実施するための形態】
【００１６】
以下、本発明の第１実施形態について、図面を参照しながら詳細に説明する。なお、各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００１７】
また、以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１８】
［本発明の第１実施形態］
図１は、本発明の第１実施形態に係る印刷システム１の概略構成図、図２は、本発明の第１実施形態に係る印刷システム１の構成を示す概略ブロック図、図３は、本発明の第１実施形態に係る印刷装置１０に記憶される情報を示すテーブルである。
【００１９】
印刷システム１は、ネットワーク等を介して、パソコンなどの端末装置（不図示）から受信した印刷ジョブに基づいて、印刷用紙Ｐに画像を印刷することができる。
【００２０】
図１に示すように、本実施形態に係る印刷システム１は、印刷装置１０と、印刷装置１０に着脱可能に構成されるインク容器５０とを備える。印刷装置１０は、インク容器５０から供給されるインクを用いて印刷処理を実行する。具体的に、印刷装置１０は、外部に設けられるパソコンなどの端末装置（不図示）から送信される印刷ジョブを受信するとともに、当該印刷ジョブに基づいて、印刷用紙Ｐに画像を印刷する印刷処理を実行する。
【００２１】
印刷装置１０は、インク容器５０から供給されるインクを使用して、印刷用紙Ｐに画像を印刷する。なお、本実施形態に係る印刷装置１０は、インクジェット方式によって印刷用紙Ｐに画像を印刷するインクジェット印刷装置である。
【００２２】
印刷装置１０は、インク容器５０から供給されるインクを使用して、印刷用紙Ｐに画像を印刷する場合に、インク容器５０に備えられるインク容器側記憶部５１（図２参照）に記憶される情報を参照する。
【００２３】
印刷装置１０は、搬送経路に沿って印刷用紙Ｐを搬送しながら、印刷用紙Ｐに画像を印刷する。なお、搬送経路は、通常経路と、通常経路に分岐接続される反転経路とを含む。図１において太矢印で示す経路が、通常経路であり、点線矢印で示す経路が、反転経路である。なお、反転経路は、用紙を往復させて通常経路に戻すことにより印刷用紙Ｐの表裏を反転させる経路である。
【００２４】
また、図１〜２に示すように、印刷装置１０は、給紙部３と、印刷部４と、搬送部５と、排紙部６と、通信部１１と、本体制御部１００と、操作パネル部１２０と、を備える。
【００２５】
給紙部３は、搬送経路の最も上流側に配置されている。給紙部３は、印刷用紙Ｐを載置するトレイ３ａと、印刷用紙Ｐを給紙する給紙ローラ３ｂとを備える。トレイ３ａには、印刷媒体である印刷用紙Ｐが複数枚積層され、最上層の印刷用紙Ｐが給紙ローラ３ｂによって、搬送経路へと送り出される。
【００２６】
給紙ローラ３ｂは、トレイ３ａから搬送されてきた用紙Ｐを一旦止めた後、後述のベルト搬送部４ａに向けて搬送する。給紙ローラ３ｂは、図示しないモータにより駆動される。
【００２７】
印刷部４は、ベルト搬送部４ａと、インク供給部７と、インクジェットヘッド部８とを備える。ベルト搬送部４ａは、給紙ローラ３ｂから搬送されてきた用紙Ｐをベルト上に吸着保持して搬送する。ベルト搬送部４ａは、図示しないモータにより駆動される。インク供給部７は、インク容器５０とインクジェットヘッド部８とに接続されている。インク供給部７は、インク容器５０の装着部とインク搬送管とインクポンプ等を備える（いずれも不図示）。インク供給部７は、インクポンプ等を駆動させることよって、インク容器５０に収容されたインクをインクジェットヘッド部８に供給する。
【００２８】
本実施形態では、インクジェットヘッド部８として、多数のノズルが形成された複数のインクジェットヘッド部８ａ〜８ｄを備える。複数のインクジェットヘッド部８ａ〜８ｄのそれぞれは、インク色の異なるインクを吐出する。インクジェットヘッド部８ａは、シアン色のインクを吐出し、インクジェットヘッド部８ｂは、マゼンタ色のインクを吐出し、インクジェットヘッド部８ｃは、イエロー色のインクを吐出し、インクジェットヘッド部８ｄは、ブラック色のインクを吐出する。
【００２９】
印刷部４は、インクジェットヘッド部８ａ〜８ｄのそれぞれからインクを吐出することによって、印刷用紙Ｐに画像を印刷する。なお、本実施形態では、インクジェットヘッド部８ａ〜８ｄのそれぞれを、単にインクジェットヘッド部８として、適宜説明する。
【００３０】
インクジェットヘッド部８は、ノズルと、インク室と、ピエゾ素子とを備えている（いずれも不図示）。インク室およびピエゾ素子は、インクジェットヘッド部８に多数形成されたノズルに対応して設けられている。インクジェットヘッド部８では、ピエゾ素子が、後述の印刷制御部１０４（図２参照）から送られるインク吐出データに基づいて変形することにより、インク室の一端に形成されたノズルからインクが吐出される。なお、ピエゾ素子に代えて発熱素子を用いて、インク発熱により生じる気泡によりインクを吐出するようにしてもよい。
【００３１】
また、インクジェットヘッド部８から吐出されるインクの単位時間あたりの吐出回数は、印刷搬送速度に応じて異なる。具体的に、インクの単位時間あたりの吐出回数は、印刷搬送速度が早いほど多く、印刷搬送速度が遅いほど少ない。
【００３２】
搬送部５は、搬送ベルトと搬送ローラ５ａとを備え、搬送ベルトと搬送ローラ５ａとによって、印刷用紙Ｐを搬送経路に沿って搬送する。
【００３３】
排紙部６は、印刷済みの印刷用紙Ｐを排紙する。排紙部６は、印刷済みの印刷用紙Ｐを収容する排紙台と、排紙台に印刷済みの印刷用紙Ｐを搬送する排紙ローラとを備える（いずれも不図示）。
【００３４】
本体制御部１００は、ＣＰＵ及びＣＰＵを動作させるためのプログラムを格納したプログラムＲＯＭ等を備えている。本体制御部１００は、ＣＰＵを動作させることによって、印刷装置１０内の各種機能を統括制御する。また、本体制御部１００は、通信部１１を介して、インク容器５０に備えられるインク容器側記憶部５１との間で、無線により通信を行う。なお、本体制御部１００の詳細な構成については、後述する。
【００３５】
操作パネル部１２０は、表示／入力パネルと、製版処理や印刷処理等を開始させるためのスタートキー、製版処理や印刷処理等を停止させるためのストップキー、印刷枚数等を入力するためのテンキー等の各種操作キーとを備え（いずれも不図示）、ユーザ入力に基づく入力情報を本体制御部１００に送信する。
【００３６】
操作パネル部１２０の表示／入力パネルは、前面に配置された感圧式あるいは静電式の透明なタッチパネルと、このタッチパネルの裏面に配置され、各種表示画面を表示する液晶表示パネル（いずれも不図示）とを有している。ユーザは、液晶表示パネルの表示画面を見ながら、タッチパネルの表面を指などで直接触れることで、表示画面上に表示された各種の入力操作を行うことができる。
【００３７】
インク容器５０は、印刷部４に供給されるインクを収容する。インク容器５０に収容されるインクは、インク供給部７を介して、インクジェットヘッド部８に供給される。また、インク容器５０は、インク情報を予め記憶するインク容器側記憶部５１を有する（図２参照）。
【００３８】
ここで、インク情報は、インク容器５０に収容されるインクの色を識別するインク色、印刷処理を実行する際の印刷濃度など、印刷処理を実行する際に本体制御部１００によって参照される情報である。なお、インク情報は、インク容器５０の識別情報と、インク容器５０に収容されるインクの比重、粘度及び表面張力等のインク特性とを示す情報を含んでいる。
【００３９】
インク容器側記憶部５１は、非接触ＩＣタグに備えられており、本体制御部１００との間で無線により通信を行う。なお、インク容器側記憶部５１は、非接触ＩＣタグの無線通信によりインク情報などを読み書き可能に構成されている。
【００４０】
次に、印刷装置１０の本体制御部１００の構成等を説明する。図２に示すように、本実施形態に係る本体制御部１００は、インク情報取得部１０１と、受付部１０２と、印刷設定部１０３と、印刷制御部１０４と、本体記憶部１０５とを備える。
【００４１】
インク情報取得部１０１は、インク容器５０に記憶されるインク情報を取得する。
インク情報取得部１０１は、インク容器５０が装着されると、通信部１１を介して、インク容器５０のインク容器側記憶部５１を読み込む。そして、インク情報取得部１０１は、インク容器側記憶部５１からインク情報を取得する。
【００４２】
受付部１０２は、インク情報取得部１０１よりインク情報を取得できなかった場合、ユーザの入力からユーザインク情報を受け付ける。具体的に、受付部１０２は、操作パネル部１２０に所定の画面を表示して、ユーザからユーザインク情報を受け付ける。
【００４３】
なお、ユーザインク情報は、インク情報の代替としてユーザによって入力される情報である。従って、ユーザインク情報も、インク色、印刷濃度などのように、印刷処理を実行する際に本体制御部１００によって参照される情報である。
【００４４】
印刷設定部１０３は、ユーザインク情報が入力された場合、ユーザインク情報により印刷処理が可能な印刷設定を設定する。
【００４５】
ここで、印刷設定とは、印刷処理を実行するために必要な情報であり、印刷処理における制御値の許容範囲及び印刷機能の使用可否など、印刷処理における許容環境を示す。本実施形態では、印刷設定は、印刷搬送速度、印刷濃度、解像度、用紙サイズ、用紙トレイのそれぞれの許容範囲と、両面印刷の使用可否とを示す情報とする。
【００４６】
なお、印刷搬送速度は、速度１〜７によって規定され、数値が大きいほど印刷搬送速度が速いことを示す。速度１〜７のそれぞれは、印刷装置１０で適用可能な印刷搬送速度の範囲内（例えば、４０〜１５０ｐｐｍ）において、規定されている。印刷濃度は、印刷装置１０で適用可能な印刷濃度の範囲内において、濃度１〜５によって規定され、数値が大きいほど印刷濃度が濃いことを示す。解像度は、印刷装置１０で適用可能な解像度の範囲内（例えば、３００〜６００ｄｐｉ）において規定される複数の解像度を示す。用紙サイズは、Ａ４、Ａ４Ｒ、Ａ３・・・など、印刷装置１０で適用可能な用紙サイズを示す。用紙トレイは、トレイ１、トレイ２、外部給紙トレイ・・・など、印刷装置１０で適用可能な用紙トレイを示す。なお、印刷設定は、これらに限定されるものではない。
【００４７】
また、本実施形態では、印刷設定部１０３は、ユーザインク情報が入力されなかった場合、印刷処理における印刷搬送速度を、複数の印刷搬送速度のうち最も低速にする印刷設定に設定する。本実施形態において、複数の印刷搬送速度のうち最も低速にする印刷設定とは、最低印刷搬送速度を示す。
【００４８】
印刷制御部１０４は、通信部１１を介して印刷ジョブを受信すると、当該印刷ジョブに基づいて、印刷処理を実行するように印刷装置１０内の各種機能を制御する。具体的に、印刷制御部１０４は、給紙部３、印刷部４、搬送部５、排紙部６などを制御して、印刷処理を実行する。また、印刷制御部１０４は、印刷設定部１０３によって設定された印刷設定に従って、印刷処理を実行する。
【００４９】
例えば、印刷制御部１０４は、印刷設定が最低印刷搬送速度を示す場合、印刷処理において、印刷搬送速度が最も低速になるように、給紙部３、印刷部４、搬送部５、排紙部６などに対して、給紙速度、用紙間隔、排紙速度、各種タイミングを制御する。
【００５０】
このとき、印刷制御部１０４は、印刷部４のインクジェットヘッド部８から吐出されるインクの単位時間あたりの吐出回数も制御する。
【００５１】
ここで、画像を印刷するために必要なインクの吐出回数は、印刷する画像の画像データに応じて画像処理部（不図示）により算出される。
【００５２】
また、インクの単位時間あたりの吐出回数は、印刷搬送速度と対応する関係を有しており、印刷搬送速度が設定されることで、インクの単位時間あたりの吐出回数が、設定される。具体的に、印刷搬送速度が早いほど、インクの単位時間あたりの吐出回数が増加し、印刷搬送速度が遅いほど、インクの単位時間あたりの吐出回数が減少する。
【００５３】
印刷制御部１０４は、印刷搬送速度と、インクの単位時間あたりの吐出回数とを関連づけた速度吐出回数テーブル（不図示）を参照して、印刷搬送速度に対応するインクの単位時間あたりの吐出回数を設定する。例えば、印刷制御部１０４は、印刷設定が最低印刷搬送速度を示す場合、インクの単位時間あたりの吐出回数が最も少ない吐出回数を設定し、設定した吐出回数を含むインク吐出データをインクジェットヘッド部８に送信する。
【００５４】
本体記憶部１０５は、本体制御部１００内の各種機能によって用いられる情報を記憶する。本実施形態に係る本体記憶部１０５は、図３に示すように、動作モードと、複数の印刷設定とを関連付けたテーブルを記憶する。
【００５５】
ここで、本実施形態では、図３に示すように、複数の印刷設定が、動作モードによって規定される。また、動作モードは、“動作モード０”から“動作モード９９”まで、複数規定されている。なお、動作モードの数はこれに限定されない。
【００５６】
また、本実施形態では、印刷設定部１０３は、本体記憶部１０５に記憶されるテーブルを参照するとともに、“動作モード０”から“動作モード９９”の内の一つの動作モードを選定する。印刷設定部１０３は、一つの動作モードを選定することによって、動作モードに対応する印刷設定を設定する。
【００５７】
なお、本実施形態では、“動作モード０”を、全ての制御値及び印刷機能の使用を許可した印刷設定を規定する正常動作モードとし、“動作モード１〜９８”を、制御値及び印刷機能を制限した印刷設定を規定する制限動作モードとし、“動作モード９９”を最も制御値及び印刷機能を制限した印刷設定を規定する最制限動作モードとして説明する。また、本実施形態に係る最制限動作モードでは、印刷搬送速度が最も低い最低印刷搬送速度（図３に示す“速度１”であり、例えば４０ｐｐｍ）を示す印刷設定が規定されている。また、本実施形態に係る最制限動作モードでは、最低印刷搬送速度の他、印刷濃度を最も薄くした最低印刷濃度（図３に示す“濃度１”）、解像度を最も低くした最低解像度（図３に示す“３００ｄｐｉ”）、用紙サイズを最も小さくした最小用紙サイズ（図３に示す“Ａ４”）、両面印刷の使用を許可しない使用不可（図３に示す“使用不可”）などを示す印刷設定が規定されている。
【００５８】
次に、本実施形態に係る印刷装置１０の動作を説明する。図４は、本実施形態に係る印刷装置１０の動作を示すフローチャートである。具体的に、図４は、インク容器５０を装着した際の印刷装置１０の動作を示すフローチャートである。
【００５９】
ステップＳ１において、印刷装置１０では、インク容器５０が装着されると、本体制御部１００がこれを検出する。
【００６０】
ステップＳ２において、印刷装置１０では、本体制御部１００が、印刷設定を設定する印刷設定処理を実行する。なお、印刷設定処理の詳細は、後述する（図５参照）。
【００６１】
ステップＳ３において、印刷装置１０では、本体制御部１００が、印刷設定に基づいて、印刷処理を実行する。具体的に、本体制御部１００は、端末装置から受信した印刷ジョブと、印刷設定処理によって設定された印刷設定とに基づいて、印刷処理を実行する。
【００６２】
次に、本実施形態に係る印刷装置１０において、印刷設定処理を実行する際の動作について説明する。図５は、印刷装置１０が印刷設定処理を実行する際の動作を示すフローチャートである。
【００６３】
まず、ステップＳ２１において、印刷装置１０では、インク情報取得部１０１は、インク容器５０のインク容器側記憶部５１を参照して、インク容器側記憶部５１に記憶されるインク情報の取得を試みる。
【００６４】
ステップＳ２２において、インク情報取得部１０１は、インク容器側記憶部５１からインク情報を取得できるか否かを判定する。なお、インク容器５０が汎用品であると、インク情報を取得できない場合がある。従って、ステップＳ２２では、インク情報取得部１０１は、インク容器５０が汎用品であるか否かを判定しているとも言い換えることができる。
【００６５】
ステップＳ２３において、インク情報取得部１０１がインク情報を取得できた場合（ステップＳ２２；Ｙｅｓ）、印刷設定部１０３は、印刷処理において、全ての制御値及び印刷機能の使用を許可する印刷設定に設定する。本実施形態では、印刷設定部１０３は、正常動作モードを選定するとともに、正常動作モードに応じた印刷設定に設定する。
【００６６】
ステップＳ２４において、印刷設定部１０３は、操作パネル部１２０において、図６に示すように、正常動作モードが設定されたことを示す印刷待機画面を表示する。
【００６７】
続いて、ステップＳ２５において、印刷設定部１０３は、設定した印刷設定を、印刷処理で参照される印刷設定として、本体記憶部１０５に記憶する。なお、このとき、印刷設定部１０３は、インク情報も印刷設定に関連付けて記憶してもよい。
【００６８】
そして、この後、印刷制御部１０４は、印刷設定部１０３によって記憶された印刷設定を参照して、端末装置（不図示）から受信した印刷ジョブに対応する印刷処理を実行する。
【００６９】
一方、ステップＳ２６において、インク情報取得部１０１は、インク情報を取得できなかった場合（ステップＳ２２；Ｎｏ）、受付部１０２は、操作パネル部１２０において、ユーザからユーザインク情報を受け付けるための印刷設定初期画面を表示する。
【００７０】
ここで、図７には、印刷設定初期画面の一例が示されている。図７に示すように、印刷設定初期画面には、最低限の動作によって確実に印刷することが可能な最制限動作モードに関連付けられる印刷設定が表示される。なお、図７に示す印刷設定初期画面には、設定可能な印刷設定が太字で示され、設定不可能な印刷設定が薄字で示されている。また、印刷設定初期画面には、「設定入力不要」ボタン領域Ｄ２１と、「設定入力」ボタン領域Ｄ２２とが含まれている。
【００７１】
ステップＳ２７において、印刷設定初期画面の「設定入力」ボタン領域Ｄ２２が入力されると、受付部１０２は、図８に示すユーザインク情報入力画面を表示する。そして、受付部１０２は、ユーザインク情報を受け付けたか否かを判定する。
【００７２】
ここで、ユーザインク情報入力画面には、ユーザインク情報を入力するための「ユーザ情報」入力領域Ｄ３１と、数値を入力する「テンキー」ボタン領域Ｄ３２と、「設定完了」ボタン領域Ｄ３３とが含まれている。ユーザは、「ユーザ情報」入力領域Ｄ３１において、「テンキー」ボタン領域Ｄ３２を入力することによって、ユーザインク情報を入力する。なお、図８のユーザインク情報入力画面には、「製造年月日」、「インク残量」、「インク色」、「印刷濃度調整」などが、ユーザインク情報として表示される場合を例に挙げているが、インク特性など、他の項目をユーザインク情報として表示させてもよい。
【００７３】
ステップＳ２８において、受付部１０２は、ユーザインク情報入力画面において、ユーザによってユーザインク情報が入力された後、ユーザによって「設定完了」ボタン領域Ｄ３３が入力されると、ユーザインク情報が入力されたと判定する（ステップＳ２７；Ｙｅｓ）。そして、印刷設定部１０３は、入力されたユーザインク情報に基づいて、複数の制限動作モードの中から、所定の制限動作モードを選定するとともに、選定した所定の制限動作モードに応じた印刷設定を設定する。
【００７４】
具体的に、印刷設定部１０３は、ユーザインク情報と動作モードとを関連付けたモード識別テーブルを予め記憶しており、当該モード識別テーブルを参照して、所定の制限動作モードを選定する。そして、印刷設定部１０３は、選定した所定の制限動作モードに応じた印刷設定を設定する。
【００７５】
ステップＳ２９において、印刷設定部１０３は、設定した印刷設定を示す印刷設定画面を表示する。ここで、図９には、設定した印刷設定を示す印刷設定画面の一例が示されている。印刷設定画面には、「設定変更」ボタン領域Ｄ４１と、「設定完了」ボタン領域Ｄ４２とが含まれている。また、図９に示す印刷設定画面には、設定可能な印刷設定が太字で示され、設定不可能な印刷設定が薄字で示されている。
【００７６】
この印刷設定画面を表示した後、ユーザにより「設定変更」ボタン領域Ｄ４１が入力されると、図８に示すユーザインク情報入力画面が再度表示される。一方、ユーザにより印刷設定画面に含まれる「設定完了」ボタン領域Ｄ４２が入力されると、印刷設定部１０３は、設定した印刷設定を本体記憶部１０５に記憶する（ステップＳ２５）。なお、このとき、印刷設定部１０３は、ユーザインク情報も印刷設定に関連付けて記憶してもよい。
【００７７】
また、ステップＳ２７において、受付部１０２は、印刷設定初期画面の「設定入力不要」ボタン領域Ｄ２１が入力されると、ユーザインク情報が入力されないと判定する（ステップＳ２７；Ｎｏ）。
【００７８】
そして、ステップＳ３０において、印刷設定部１０３は、ユーザインク情報が入力されない場合、図３において“動作モード９９”として示した最制限動作モードを選定する。すなわち、印刷設定部１０３は、最制限動作モードを選定することで、印刷搬送速度のうち印刷搬送速度を最も低速にした最低印刷搬送速度を示す印刷設定に設定する。そして、印刷設定部１０３は、最低印刷搬送速度の他、最制限動作モードに応じた印刷設定を本体記憶部１０５に記憶する（ステップＳ２５）。
【００７９】
以上のように、第１実施形態に係る印刷装置１０では、ユーザインク情報が入力されなかった場合に、印刷設定部１０３が最制限動作モード（“動作モード９９”）を選定する。すなわち、印刷設定部１０３は、最制限動作モードを選定することで、印刷搬送速度のうち印刷搬送速度を最も低速にした最低印刷搬送速度を示す印刷設定に設定する。
【００８０】
ここで、印刷搬送速度が早いほど、インクの単位時間あたりの吐出回数が増加するため、搬送経路上を浮遊するインクミストが多く発生しやすい。このようなインクミストの発生は、搬送経路、インクジェットヘッド部８、及びベルト搬送部４ａなどに付着し、装置汚れを引き起こすおそれがある。
【００８１】
特に、インク情報が取得できず、かつ、ユーザインク情報が入力されなかった場合には、インクの比重や粘度、表面張力等のインク特性が認識できないため、インクミストが非常に多く発生するおそれがある。
【００８２】
本実施形態係る印刷装置１０によれば、インク情報を取得できず、かつ、ユーザインク情報が入力されなかった場合に、印刷搬送速度を最も低速にした印刷設定によって印刷処理を実行できるため、インクの単位時間あたりの吐出回数を最も少なくした印刷設定によって、印刷処理を実行できる。これにより、インクミストの発生を減少させることができるため、インクミストによって印刷装置が汚れることを抑制できる。
【００８３】
このように、かかる印刷装置１０によれば、汎用品のインク容器５０を使用した印刷処理においても、インクミストによる装置汚れを抑制することができる。
【００８４】
また、印刷装置１０では、インク情報が取得できず、かつ、ユーザからユーザインク情報が入力された場合、ユーザインク情報に基づいて、印刷処理において許容可能な印刷設定を設定する。具体的に、ユーザインク情報に基づいて、複数の制限動作モードの中から所定の制限動作モードを選定するとともに、所定の制限動作モードに対応する印刷設定を設定する。すなわち、印刷搬送速度の許容範囲を制限した印刷設定を設定する。これにより、インク情報が取得できない汎用品であっても、ユーザによって入力されたユーザインク情報に基づいて、印刷搬送速度の許容範囲を制限した印刷設定によって印刷処理を実行できるため、インクミストによる装置汚れを抑制することができる。
【００８５】
また、本実施形態係る印刷装置１０によれば、装置汚れに起因して、印刷用紙Ｐが汚れることも抑制できるため、印刷品質の低下も抑制できる。
【００８６】
また、本実施形態係る印刷装置１０によれば、ユーザインク情報が入力されなかった場合に、最低限動作モードに応じた印刷設定を設定して、印刷処理を開始できるため、ユーザがすぐに印刷処理を開始することを望む場合には、ユーザインク情報を入力しなければ印刷処理をすぐに開始できる。
【００８７】
また、本実施形態に係る最制限動作モードでは、最低印刷搬送速度の他、印刷濃度を最も薄くした最低印刷濃度、解像度を最も低くした最低解像度、用紙サイズを最も小さくした最小用紙サイズなどを示す印刷設定が規定されているため、これらの印刷設定によって印刷処理を実行できる。
【００８８】
これにより、印刷装置１０において、インク情報が取得できず、ユーザインク情報が入力されない場合に、印刷濃度が濃すぎることや解像度が高すぎることにより画像に汚れやじみが発生することを抑制できるため、印刷品質の低下を抑制できる。また、最制限動作モードでは、用紙サイズを最も小さくすることや両面印刷を使用不可にすることにより、用紙サイズが大きい場合や両面印刷を使用する場合に比べて、紙詰まりの発生などの印刷不具合を抑制できる。
【００８９】
なお、最制限動作モードには、余白を最も広く設定した最大余白を示す印刷設定が規定されていてもよい。例えば、余白１〜５まで、番号の大きいほど余白を段階的に広くすることを示す印刷設定において、最制限動作モードには、最も余白を広く設定した余白５を示す印刷設定が規定されていてもよい。
【００９０】
ここで、余白は、狭いほど、印刷処理において、印刷すべき画像の端部が印刷範囲外に位置してしまい印刷できないなどの印刷品質の低下を引き起こしやすい。一方、余白は、広いほど、印刷処理において、印刷すべき画像の端部における印刷品質の低下を抑制できる。従って、最制限動作モードにおいて、最も余白を広く設定した余白５を示す印刷設定が規定されることで、印刷装置１０では、印刷品質の低下を一層抑制できる。
【００９１】
また、印刷装置１０では、インク情報が取得できず、かつ、ユーザからユーザインク情報が入力された場合、当該ユーザインク情報に基づいて、複数の制限動作モードの中から所定の制限動作モードを選定するとともに、所定の制限動作モードに対応する印刷設定を設定する。すなわち、制御値の許容範囲及び印刷機能の使用可否が制限された印刷設定を設定する。これにより、インク情報が取得できない汎用品であっても、ユーザによって入力されたユーザインク情報に基づいて、制御値の許容範囲及び印刷機能の使用可否を制限した印刷設定で印刷処理を実行できるため、印刷品質の低下を抑制した印刷処理を実行することも可能になる。
【００９２】
なお、上述した第１実施形態では、印刷装置１０が、印刷済の用紙に後処理を行う後処理装置を備えていない場合を例に挙げて説明したが、これに限定されるものではなく、後処理装置を備えていてもよい。また、後処理装置としては、例えば、印刷済の印刷用紙Ｐを印刷ジョブのページ順にソートするソート処理装置、ソートした印刷用紙Ｐを綴じる綴じ処理装置、印刷済の印刷用紙Ｐを複数の折り線に沿って折り畳む折り畳み処理装置、印刷済の印刷用紙Ｐを折り畳むことによって封筒を成形するメーリング処理装置、複数の印刷用紙Ｐと別途印刷した印刷表紙とによってくるみ製本を作成する製本処理装置などが挙げられる。
【００９３】
また、上述のように、印刷装置１０が後処理装置を備える際には、印刷設定部１０３は、ユーザインク情報が入力されなかった場合に、最制限動作モードを選定することで、後処理装置の使用を禁止する印刷設定に設定することが好ましい。かかる印刷装置１０によれば、ユーザインク情報が入力されなかった場合、後処理装置の使用を禁止する印刷設定に設定するため、後処理装置による不具合が発生する可能性を回避して、より安定した印刷処理を実行できる。
【００９４】
［第２実施形態］
次いで、本発明の第２実施形態について説明する。本実施形態に係る印刷装置１０では、過去に不具合が発生した印刷設定を不具合印刷設定として記憶しておき、以降の印刷処理における不具合の発生を抑制する。
【００９５】
具体的に、本実施形態に係る印刷装置１０では、本体記憶部１０５が、ユーザインク情報と、ユーザインク情報に対応して実行された印刷処理において不具合が発生したときの印刷設定である不具合印刷設定と、を関連付けて記憶する。また、印刷設定部１０３は、受付部１０２でユーザインク情報を受け付けた際、当該ユーザインク情報が本体記憶部１０５に記憶されたユーザインク情報と同一である場合、不具合印刷設定と同一の印刷設定を設定不可にする。
【００９６】
以下に、本実施形態に係る印刷装置１０について、具体的に説明する。初めに、印刷装置１０が、印刷処理において不具合印刷設定を記憶する際の動作について説明する。図１０には、不具合印刷設定を記憶する際の動作を示すフローチャートが示されている。なお、図１０に示す動作は、図４のステップＳ３に示す印刷処理において実行される。
【００９７】
ステップＳ３１において、印刷装置１０では、印刷制御部１０４は、印刷ジョブと、印刷設定部１０３によって設定された印刷設定とに基づいて、印刷処理を開始する。
【００９８】
ステップＳ３２において、印刷設定部１０３は、印刷処理中に、例えば、印刷用紙Ｐの紙詰まりなどの不具合が発生するか否かを検出する。なお、印刷設定部１０３において不具合が発生しない場合（ステップＳ３２；Ｎｏ）、印刷制御部１０４は、印刷制御部１０４は、印刷ジョブの印刷を終了したか否かを判定する（ステップＳ３６）。
【００９９】
ステップＳ３３において、印刷設定部１０３は、不具合が発生したことを検出すると（ステップＳ３２；Ｙｅｓ）、印刷処理に用いられている印刷設定を不具合印刷設定として特定するとともに、不具合印刷設定を設定する際に入力されたユーザインク情報を特定する。そして、印刷設定部１０３は、図１１に示すように、ユーザインク情報と不具合印刷設定とを関連付けて本体記憶部１０５に記憶する。
【０１００】
ステップＳ３４において、印刷設定部１０３は、印刷設定を変更する。具体的に、印刷設定部１０３は、不具合印刷設定を除外した印刷設定に変更する。例えば、不具合印刷設定及び印刷設定が印刷搬送速度を示す場合を例に挙げると、印刷設定部１０３は、不具合印刷設定によって示される印刷搬送速度（例えば、速度４）よりも、低い印刷搬送速度（例えば、３）を示す印刷設定に変更する。
【０１０１】
ステップＳ３５において、ユーザによって不具合が解消されると、印刷制御部１０４は、印刷設定部１０３によって変更された印刷設定に基づいて、印刷処理を再開する。
【０１０２】
ステップＳ３６において、印刷制御部１０４は、印刷ジョブの印刷を終了したか否かを判定し、終了していない場合（ステップＳ３６；Ｎｏ）には、判定を繰り返す。一方で、印刷制御部１０４は、印刷ジョブの印刷を終了した場合（ステップＳ３６；Ｙｅｓ）には、印刷処理を終了する。
【０１０３】
次に、本実施形態に係る印刷装置１０が、不具合印刷設定を参照して、印刷設定を設定する動作について説明する。図１２には、かかる動作を示すフローチャートが示されている。なお、図１２に示す動作は、図４のステップＳ２８において実行される。
【０１０４】
具体的に、ステップＳ２８０において、印刷設定部１０３が、受け付けたユーザインク情報に対応する制限動作モードを選定するとともに、選定した所定の制限動作モードに応じた印刷設定を設定する。なお、かかるステップＳ２８０の動作は、ステップＳ２８の動作と同様である。
【０１０５】
ステップＳ２８１において、印刷設定部１０３は、本体記憶部１０５を参照して、ステップＳ２７において入力されたユーザインク情報と同一のユーザインク情報が本体記憶部１０５に記憶されているか否かを判定する。
【０１０６】
ステップＳ２８２において、印刷設定部１０３は、入力されたユーザインク情報と同一のユーザインク情報が本体記憶部１０５に記憶されている場合（ステップＳ２８１；Ｙｅｓ）、ステップＳ２８０で選定した所定の制限動作モードに対応する印刷設定の中で、不具合印刷設定と同一の印刷設定を設定不可にする。
【０１０７】
例えば、図１１に示すように、不具合印刷設定が、「印刷搬送速度：５」、「印刷濃度：４」・・・などを示す場合、印刷設定部１０３は、「印刷搬送速度：５」、「印刷濃度：４」・・・などを除外した印刷設定を設定する。
【０１０８】
そして、この後、印刷設定部１０３は、図４に示すステップＳ２９の動作を行う。なお、ステップＳ２９において、印刷設定部１０３は、図１３に示すように、不具合印刷設定を下線部などによって示した印刷設定画面を表示させて、不具合のあったことをユーザに通知してもよい。
【０１０９】
以上のように、本実施形態に係る印刷装置１０によれば、印刷設定部１０３は、受付部１０２によって受け付けたユーザインク情報と不具合印刷設定に関連付けて記憶されたユーザインク情報とが同一である場合、不具合印刷設定と同一の印刷設定を設定不可にするため、不具合の再発を防止して、安定した印刷処理を実行できる。
【０１１０】
［本発明のその他の実施形態］
次に、本発明のその他の実施例について説明する。上述した本発明の実施形態では、ステップＳ２４において、印刷待機画面を表示するように構成されていたが、必ずしも表示しなくてもよい。また、ステップＳ２９において、印刷設定画面を表示するように構成されていたが、必ずしも表示しなくてもよい。
【０１１１】
上述した本発明の実施形態では、印刷制御部１０４は、印刷搬送速度と、インクの単位時間あたりの吐出回数とを関連づけた速度吐出回数テーブル（不図示）を参照して、印刷搬送速度に対応するインクの単位時間あたりの吐出回数を設定していたが、印刷設定部１０３が、印刷搬送速度を設定する際に、インクの単位時間あたりの吐出回数も設定してもよい。すなわち、インクの単位時間あたりの吐出回数も、印刷設定として設定してもよい。
【０１１２】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【０１１３】
１…印刷システム
３…給紙部
４…印刷部
５…搬送部
６…排紙部
７…インク供給部
８…インクジェットヘッド部
１０…印刷装置
５０…インク容器
５１…インク容器側記憶部
１００…本体制御部
１０１…インク情報取得部
１０２…受付部
１０３…印刷設定部
１０４…印刷制御部
１０５…本体記憶部
１２０…操作パネル部
【図１】
0006484454.tif 000002
【図２】
0006484454.tif 000003
【図３】
0006484454.tif 000004
【図４】
0006484454.tif 000005
【図５】
0006484454.tif 000006
【図６】
0006484454.tif 000007
【図７】
0006484454.tif 000008
【図８】
0006484454.tif 000009
【図９】
0006484454.tif 000010
【図１０】
0006484454.tif 000011
【図１１】
0006484454.tif 000012
【図１２】
0006484454.tif 000013
【図１３】
0006484454.tif 000014